【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
文章を記憶する文章記憶手段と、前記文章記憶手段から任意の文章を読み出す読出し手段と、前記文章を音声で出力する音声合成手段とを備え、前記読出し手段により読み出された文章を前記音声合成手段により音声で出力する音声合成装置において、
前記文章を音声合成で音声出力中に語句を指示する指示手段と、
前記指示手段により指示された語句を特定する語句特定手段と、
前記語句特定手段で特定された語句を他の語句に置き換える置換手段と、
を備え、
前記指示手段により指示された語句を前記置換手段によって置き換えた他の語句に置き換えて音声出力することを特徴とする音声合成装置。
【請求項２】
文章中の置き換えられた語句の位置から再度音声出力を開始することを特徴とする請求項１に記載の音声合成装置。
【請求項３】
前記指示された語句が含まれる一文章を音声出力後に、文章中の置き換えられた語句の位置から再度音声出力を開始することを特徴とする請求項１に記載の音声合成装置。
【請求項４】
前記指示された語句が含まれる一文章を音声出力後に、文章中の置き換えられた語句の位置から再度音声出力を開始するとともに、指示された語句を含まない文については音声出力しないことを特徴とする請求項１に記載の音声合成装置。
【請求項５】
習熟度レベルを設定する設定手段をさらに備え、
前記置換手段は、前記語句特定手段で特定された語句を他の語句に置き換えるとき、設定された習熟度レベルに応じた語句に置き換えることを特徴とする請求項１に記載の音声合成装置。
【請求項６】
語句ごとに指示した回数、または前記文章を読み出して音声出力した回数を記憶する回数記憶手段をさらに備え、
前記回数記憶手段に記憶された回数に応じた語句に置き換えることを特徴とする請求項１に記載の音声合成装置。
【請求項７】
語句ごとに指示した回数、または前記文章を読み出して音声出力した回数を記憶する回数記憶手段と、
語句の難易度を記憶する難易度レベル記憶手段とをさらに備え、
前記回数記憶手段に記憶された回数に応じて、難易度レベルの低い語句に置き換えることを特徴とする請求項１に記載の音声合成装置。
【請求項８】
前記音声出力する回数を任意に設定する音声出力回数設定手段をさらに備え、
前記文章の音声出力回数が前記音声出力回数設定手段の設定回数を超えた場合、元の語句に戻す置き換えを行うことを特徴とする請求項６または請求項７に記載の音声合成装置。
【請求項９】
読出し手段により文章記憶手段から文章を読み出すステップと、
音声合成手段により読み出した文章を音声で出力するステップと、
前記文章を音声合成で音声出力中の語句が指示されると、該指示された語句を特定するステップと、
置換手段により特定した語句を他の語句に置き換えるステップと、
前記音声合成手段により置き換えた語句を音声出力するステップと、
を実行することを特徴とするコンピュータ読み取り可能な音声合成プログラム。
【手続補正２】
【補正対象書類名】明細書
【補正対象項目名】０００９
【補正方法】変更
【補正の内容】
【０００９】
上記課題を解決するため、本発明の音声合成装置は、文章を記憶する文章記憶手段と、前記文章記憶手段から任意の文章を読み出す読出し手段と、前記文章を音声で出力する音声合成手段とを備え、前記読出し手段により読み出された文章を前記音声合成手段により音声で出力する音声合成装置において、前記文章を音声合成で音声出力中に語句を指示する指示手段と、前記指示手段により指示された語句を特定する語句特定手段と、前記語句特定手段で特定された語句を他の語句に置き換える置換手段と、を備え、前記指示手段により指示された語句を前記置換手段によって置き換えた他の語句に置き換えて音声出力することを特徴とするものである。
【手続補正３】
【補正対象書類名】明細書
【補正対象項目名】００１０
【補正方法】変更
【補正の内容】
【００１０】
前記指示手段は、読み上げられている語句が解らないとき、ユーザがすぐに決定キーを押下することにより、その語句を指示（以下、マーキングともいう）する。また、マーキングは、表示された文章から解らない語句をペンなどで選択するようにしてもよい。さらに、文章のカンマや段落などの区切った一文単位でマーキングするようにしてもよい。
【手続補正４】
【補正対象書類名】明細書
【補正対象項目名】００１４
【補正方法】変更
【補正の内容】
【００１４】
この場合、文章中の置き換えられた語句の位置から再度音声出力を開始することを特徴とする。なお、置き換えて読み上げる（表示する場合も含む）のは、マーキングされた直後に行ってもよいし、マーキングした後に再度音声出力したときに行ってもよい。
【手続補正５】
【補正対象書類名】明細書
【補正対象項目名】００１５
【補正方法】変更
【補正の内容】
【００１５】
具体的には、前記指示された語句が含まれる一文章を音声出力後に、文章中の置き換えられた語句の位置から再度音声出力を開始するように構成してもよい。
【手続補正６】
【補正対象書類名】明細書
【補正対象項目名】００１６
【補正方法】変更
【補正の内容】
【００１６】
また、前記指示された語句が含まれる一文章を音声出力後に、文章中の置き換えられた語句の位置から再度音声出力を開始するとともに、指示された語句を含まない文については音声出力しないように構成してもよい。
【手続補正７】
【補正対象書類名】明細書
【補正対象項目名】００１７
【補正方法】変更
【補正の内容】
【００１７】
また、本発明の音声合成装置は、習熟度レベルを設定する設定手段をさらに備え、前記置換手段は、前記語句特定手段で特定された語句を他の語句に置き換えるとき、設定された習熟度レベルに応じた語句に置き換えるように構成してもよい。例えば、習熟度レベルとして上級、中級、初級の３段階のレベルを用意し、上級に設定された場合には、単なる語句の置き換えのみとし、中級に設定された場合には、語句の置き換えに加え、語句の例文を併せて表示及び音声出力し、初級に設定された場合には、特定された語句をその日本語の翻訳文に置き換えて表示及び音声出力する。
【手続補正８】
【補正対象書類名】明細書
【補正対象項目名】００１８
【補正方法】変更
【補正の内容】
【００１８】
また、本発明の音声合成装置は、語句ごとに指示した回数、または前記文章を読み出して音声出力した回数を記憶する回数記憶手段をさらに備え、前記回数記憶手段に記憶された回数に応じた語句に置き換えるように構成してもよい。このような構成とすれば、例えば同じ語句を３回マーキングすると、その時点で初めて語句を置き換えるように構成することができる。
【手続補正９】
【補正対象書類名】明細書
【補正対象項目名】００１９
【補正方法】変更
【補正の内容】
【００１９】
また、本発明の音声合成装置は、語句ごとに指示した回数、または前記文章を読み出して音声出力した回数を記憶する回数記憶手段と、語句の難易度を記憶する難易度レベル記憶手段とをさらに備え、前記回数記憶手段に記憶された回数に応じて、難易度レベルの低い語句に置き換えるように構成してもよい。
【手続補正１０】
【補正対象書類名】明細書
【補正対象項目名】００２１
【補正方法】変更
【補正の内容】
【００２１】
また、本発明の音声合成装置は、前記音声出力する回数を任意に設定する音声出力回数設定手段をさらに備え、前記文章の音声出力回数が前記音声出力回数設定手段の設定回数を超えた場合、元の語句に戻す置き換えを行うように構成してもよい。
【手続補正１１】
【補正対象書類名】明細書
【補正対象項目名】００２２
【補正方法】変更
【補正の内容】
【００２２】
本発明の音声合成プログラムは、読出し手段により文章記憶手段から文章を読み出すステップと、音声合成手段により読み出した文章を音声で出力するステップと、前記文章を音声合成で音声出力中の語句が指示されると、該指示された語句を特定するステップと、置換手段により特定した語句を他の語句に置き換えるステップと、前記音声合成手段により置き換えた語句を音声出力するステップと、を実行することを特徴とするものである。